(57)【特許請求の範囲】
【請求項１】
デジタイザ・パネルで入力することが可能な電子機器であって、
ディスプレイと、
前記ディスプレイを収納する電磁波透過性のある筐体と、
前記筐体の背面に前記デジタイザ・パネルを着脱可能に取り付けるための取り付け構造と、
前記デジタイザ・パネルと通信するためのインターフェースとを有し、
前記ディスプレイの表面に接近した電子ペンを検出した前記デジタイザ・パネルから座標を受け取る電子機器。
【請求項２】
前記デジタイザ・パネルが電磁誘導式のセンサー・コイルを有する請求項１に記載の電子機器。
【請求項３】
前記電子ペンが電池非搭載型である請求項２に記載の電子機器。
【請求項４】
前記ディスプレイがタッチ・パネル機能を含むタッチ・スクリーンで構成されている請求項１から請求項３のいずれかに記載の電子機器。
【請求項５】
前記電子機器がヒンジ機構により前記筐体の開閉が可能なノートブック型パーソナル・コンピュータである請求項１から請求項４のいずれかに記載の電子機器。
【請求項６】
前記取り付け構造をマグネットと前記ヒンジ機構を含んで構成している請求項５に記載の電子機器。
【請求項７】
前記筐体が炭素繊維強化樹脂（ＣＦＲＰ）で形成されたパネルを含んで形成されている請求項１から請求項６のいずれかに記載の電子機器。
【請求項８】
前記筐体がガラス繊維強化樹脂（ＧＦＲＰ）で形成されたパネルを含んで形成されている請求項１から請求項７のいずれかに記載の電子機器。
【請求項９】
電子機器の入力システムであって、
ディスプレイと、
前記ディスプレイを収納する電磁波透過性のある筐体と、
前記筐体の背面に取り付けられたデジタイザ・パネルと、
前記デジタイザ・パネルと通信するためのインターフェースとを有し、
前記ディスプレイの表面に電子ペンを接近させて前記デジタイザ・パネルに入力する入力システム。
【請求項１０】
電磁波透過性のある材料で形成された筐体に収納されたディスプレイを備えるコンピュータに入力する方法であって、
前記筐体の背面にデジタイザ・パネルを装着するステップと、
前記ディスプレイの表面に電子ペンを接近させるステップと、
前記電子ペンが接近したコイル・アレイの座標を前記デジタイザ・パネルが検出するステップと、
前記デジタイザ・パネルが前記コンピュータに前記コイル・アレイの座標を送るステップと
を有する方法。
【請求項１１】
前記コンピュータと前記デジタイザ・パネルの通信を確立するステップと、
前記デジタイザ・パネルの装着を検出するステップと、
前記ディスプレイに前記デジタイザ・パネルと位置あわせするための基準マークを表示するステップを有する請求項１０に記載の方法。
【請求項１２】
前記デジタイザ・パネルの装着を検出したことに応答して、前記コンピュータが前記デジタイザ・パネルのサイズを認識するステップを有する請求項１１に記載の方法。
【発明の詳細な説明】
【技術分野】
【０００１】
本発明は、デジタイザ・パネルの利用範囲を拡大する技術に関し、さらには、デジタイザ・パネルを作業環境に合った方法で利用できるようにする技術に関する。
【背景技術】
【０００２】
ノートブック型パーソナル・コンピュータ（ノートＰＣ）では、入力装置として、キーボードおよびマウスに加えて、タッチ・パネルとディスプレイを組み合わせたタッチ・スクリーンが搭載される場合がある。タッチ・スクリーンは、タブレット端末やスマートフォンの標準的な入力装置になっている。タッチ・スクリーンは、画面そのものや画面に表示するオブジェクトを直接指でタッチして操作するため、マウスやトラック・ポイント（登録商標）などでマウス・カーソルを移動させるよりも直感的で簡単に操作ができる。
【０００３】
また、コンピュータの他の入力装置としてセンサー・パネルを電子ペンで操作するデジタイザがある。デジタイザを有線または無線のインターフェースでノートＰＣに接続することで、ノートＰＣの画面に表示するマウス・カーソルを電子ペンで移動させて操作することができる。特許文献１は、入力ペンを利用した電磁誘導式の位置検出装置を開示する。位置検出装置は、共振回路を組み込んだ入力ペンに対して、座標上に配置した複数のセンサー・コイルが順番に電磁波の送信および受信を繰り返す。センサー・コイルは入力ペンの共振回路がセンサー・コイルから受け取った電磁波エネルギーで共振して発信する電磁波を受信してその強度や位相から入力ペンの位置や入力ペンの筆圧を検出する。
【０００４】
特許文献２は、タブレットとキーボードの双方を搭載する携帯型情報処理装置を提供する。透明タブレットは、表示ユニットとキーボードの間に回動可能なように装着され、キーボードを使用するときは表示ユニット側に回転させ、透明タブレットを使用するときはキーボード側に回転させてペンで入力する。特許文献３は、ディスプレイ筐体が、炭素繊維強化樹脂（ＣＦＲＰ）およびガラス繊維強化樹脂（ＧＦＲＰ）の複合材料で形成されたノートＰＣを開示する。
【先行技術文献】
【特許文献】
【０００５】
【特許文献１】特開昭６３−７０３２６号公報
【特許文献２】特開平６−１６１６３６号公報
【特許文献３】特開２００９−１６９４９８号公報
【発明の概要】
【発明が解決しようとする課題】
【０００６】
これまでのノートＰＣでデジタイザから入力する場合は、デジタイザのセンサー・パネルをノートＰＣの外部接続用のインターフェースに接続するか、透明なセンサー・パネルをＬＣＤや有機ＥＬのようなフラット・パネル型のディスプレイと一体に組み合わせてディスプレイ筐体に収納していた。また、ディスプレイと指で操作する透明なタッチ・パネルと電子ペンで操作する透明なセンサー・パネルを一体に組み合わせてディスプレイ筐体に収納することもあった。
【０００７】
この場合は、作業によって、指でタッチ・パネルに入力したり、電子ペンでセンサー・パネルに入力したりすることができる。以後、ディスプレイとセンサー・パネルを組み合わせた構造体を、タッチ・パネルの有無にかかわらずデジタイザ・ディスプレイということにする。電子ペンによる入力は指による入力よりも細かい位置を指示できるため、スマートフォンのような画面が小さい電子機器や製図などの細かな作業に適しているが、タッチ・パネルほど一般的ではないためすべてのノートＰＣにデジタイザ・ディスプレイを搭載すると、その必要がないユーザにとっては過剰な機能になる。
【０００８】
また、デジタイザ・ディスプレイはノートＰＣの小型化および軽量化の視点でも得策ではない。デジタイザのセンサー・パネルを無線または有線でノートＰＣに接続して使用する場合は、ディスプレイが表示するオブジェクトに対する直接の操作ができないので不便である。そこで本発明の目的は、必要に応じてデジタイザ・パネルを装着して使用できる電子機器を提供することにある。さらに本発明の目的は、デジタイザ・パネルを搭載した入力システムを提供することにある。さらに本発明の目的は、デジタイザ・パネルを環境に応じた適切な方法で利用できるようにする方法を提供することにある。
【課題を解決するための手段】
【０００９】
本発明にかかる電子機器は、ディスプレイと、ディスプレイを収納する電磁波透過性のある筐体と、筐体の背面にデジタイザ・パネルを着脱可能なように取り付けるための取り付け構造と、デジタイザ・パネルと通信するためのインターフェースとを有する。そして、ディスプレイの表面に電子ペンを接近させてデジタイザ・パネルに入力する。筐体に装着しない場合は電子機器の周辺においたデジタイザ・パネルに直接電子ペンを接近させて入力することができる。
【００１０】
電子機器は、デジタイザ機能をディスプレイに組み込まなくても、デジタイザ・パネルを必要に応じて装着することで、ディスプレイに表示されたオブジェクトを指示して入力することができるためデジタイザ・パネルの利用範囲が拡大する。また、電子機器はデジタイザ機能を搭載しないため、薄型化および軽量化を図ることができる。デジタイザ・パネルは電磁誘導式のセンサー・コイルを有するものであってよい。また電子ペンは電池非搭載型であってもよい。ディスプレイはタッチ・パネル機能を含むタッチ・スクリーンで構成されていてもよい。
【００１１】
電子機器は、ヒンジ機構により筐体の開閉が可能なノートブック型パーソナル・コンピュータとすることができる。このときデジタイザ・パネルの取り付け構造は、マグネットとヒンジ機構を含んで構成することができる。電磁波透過性のある筐体は、炭素繊維強化樹脂（ＣＦＲＰ）で形成されたパネルおよびガラス繊維強化樹脂（ＧＦＲＰ）で形成されたパネルまたはいずれか一方を含んで構成することができる。本発明にかかる電子機器の入力システムは、ディスプレイと、ディスプレイを収納する電磁波透過性のある筐体と、ディスプレイの表面から電子ペンで操作できるように筐体の背面に取り付けられたデジタイザ・パネルと、デジタイザ・パネルと通信するためのインターフェースとを有する。
【００１２】
本発明は、電磁波透過性のある材料で形成された筐体に収納されたディスプレイを備えるコンピュータに入力する方法も提供する。筐体の背面にデジタイザ・パネルを装着し、ディプレイの表面に電子ペンを接近させ、電子ペンが接近したコイル・アレイの座標をデジタイザ・パネルが検出すると、デジタイザ・パネルがコンピュータにコイル・アレイの座標を送る。デジタイザ・パネルは、筐体の背面に装着してディスプレイの表面から電子ペンで操作したり、コンピュータの周囲に配置して操作したりできるため、ユーザは作業や環境に応じて使い分けることができる。
【００１３】
コンピュータとデジタイザ・パネルの通信を確立してから、デジタイザ・パネルの装着を検出すると、ディスプレイにデジタイザ・パネルと位置あわせするための基準マークを表示するようにすれば、通信が確立したときに基準マークを電子ペンで指示することで、ディスプレイとデジタイザ・パネルの座標を整合させることができる。また、デジタイザ・パネルの装着を検出したときに、コンピュータが自動的にデジタイザ・パネルのサイズを認識するようにすれば、さまざまなサイズのデジタイザ・パネルが装着できるようになる。
【発明の効果】
【００１４】
本発明により、必要に応じてデジタイザ・パネルを装着して使用できる電子機器を提供することができた。さらに本発明により、デジタイザ・パネルを搭載した入力システムを提供することができた。さらに本発明により、デジタイザ・パネルを環境に応じた適切な方法で利用できるようにする方法を提供することができた。
【図面の簡単な説明】
【００１５】
【図１】ノートＰＣとデジタイザ・パネルの外形を示す斜視図である。
【図２】ディスプレイ筐体の平面図である。
【図３】デジタイザ・パネルが取り付けられた状態の断面図である。
【図４】デジタイザ・パネルの機能ブロック図である。
【図５】ノートＰＣの機能ブロック図である。
【図６】デジタイザ・パネルを利用したコンピュータへの入力の手順を説明するフローチャートである。
【図７】タッチ・スクリーンに基準マークを表示する様子を説明するための図である。
【発明を実施するための形態】
【００１６】
図１は、ノートＰＣとデジタイザ・パネルの外形を示す斜視図である。図１（Ａ）はノートＰＣ１０を示し、図１（Ｂ）は電磁誘導式のデジタイザ・パネル１００を示し、図１（Ｃ）はノートＰＣ１０にデジタイザ・パネル１００を装着した状態を示している。ノートＰＣ１０は、ディスプレイ筐体１１とシステム筐体１３がヒンジ機構２５ａ、２５ｂで開閉できるように結合されている。ヒンジ機構２５ａ、２５ｂは金属で形成されている。
【００１７】
ディスプレイ筐体１１は、内部にタッチ・スクリーン１５を収納し、タッチ・スクリーン１５の周辺に化粧パネル１９が取り付けられている。タッチ・スクリーン１５は、液晶ディスプレイ・パネルに、静電容量式、抵抗膜式、または光学式などのさまざまなタイプのタッチ・パネル機能を組み込んだもので、デジタイザ・パネル１００と電子ペン２００（図３）の間で送受信する電磁波が透過する周知の一般的な構造をしている。
【００１８】
また、デジタイザ・パネル１００が使用する電磁波を透過できるタイプであれば、液晶ディスプレイに代えて有機ＥＬディスプレイなどの他のフラット・パネル型のディスプレイを採用することもできる。タッチ・スクリーンの構造には、液晶ディスプレイの外側にタッチ・パネルを貼り付ける外付け型およびタッチ・パネル機能をディスプレイの内部に組み込むインセルまたはオンセルといわれる内蔵型のいずれも採用することができる。
【００１９】
本発明は、タッチ・スクリーン１５に代えてタッチ・パネル機能のないフラット・パネル型のディスプレイを採用することもできる。タッチ・スクリーン１５には、液晶ディスプレイにマウス・カーソル２７が表示されている。システム筐体１３は、内部にＣＰＵ、マザーボードおよびＳＳＤなどのシステム・デバイスを収納し、表面にはキーボード１７、パームレスト２１およびタッチ・パッド２３などが配置されている。
【００２０】
デジタイザ・パネル１００は、センサー・コイルが発信する電磁波を利用して電子ペンの位置を検出する。デジタイザ・パネル１００には、回路基板にフォトリソグラフィでコイル・パターンが形成されたコイル・アレイ１０１が実装され、さらに図４に示す無線インターフェース、コイル・アレイ１０１の制御回路、および電源回路などがコイル・アレイ１０１の周辺または回路基板の裏面に実装されている。コイル・アレイ１０１の表面にはアクリル・パネルが貼り付けられている。デジタイザ・パネル１００には、ディスプレイ筐体１１の背面に装着する装着構造の一例として、マグネット１０３ａ〜１０３ｄが取り付けられている。
【００２１】
デジタイザ・パネル１００は、通常はノートＰＣ１０から取り外しておき、使用時にマグネット１０３ａ〜１０３ｄを利用して、ディスプレイ筐体１１の背面に容易に取り外せるように装着することができる。デジタイザ・パネル１００は、一例としてＬ字型に形成されておりディスプレイ筐体１１の上側の側端部でタッチ・スクリーン１５に対する上下方向の物理的な位置合わせをし、左右方向はマグネット１０３ａ〜１０３ｄで吸引できる範囲で自由に配置できるようになっている。したがって、ディスプレイ筐体１１にはさまざまな大きさのデジタイザ・パネルを装着することができる。
【００２２】
図２は、タッチ・スクリーン１５と化粧パネル１９を取り外した状態のディスプレイ筐体１１の平面図である。図３は、タッチ・スクリーン１５を収納したディスプレイ筐体１１にデジタイザ・パネル１００を装着した状態の断面図である。ディスプレイ筐体１１は、非導電性の材料であるガラス繊維強化樹脂（ＧＦＲＰ）の領域５１と導電性の材料である炭素繊維強化樹脂（ＣＦＲＰ）の領域５３の２つの領域で形成されている。ＧＦＲＰとＣＦＲＰはともにナイロンを基材にしており、少なくともデジタイザ・パネル１００が利用する電磁波に対してはいずれも電磁波透過性を備えている。
【００２３】
ＧＦＲＰ領域５１はディスプレイ筐体１１の周辺部と、内側を箱状に形成するための側壁５７を構成している。ＧＦＲＰ領域５１の上側には、無線ＬＡＮおよびＢｌｕｅｔｏｏｔｈ（登録商標）などのアンテナが配置される。ＣＦＲＰ領域５３はディスプレイ筐体１１の中央部を構成し全体の領域を支配している。ＣＦＲＰ領域５３の上側にはカメラが取り付けられる。また、ＧＦＲＰ領域５１には、マグネット６３ａ、６３ｂおよび接近センサ６１が取り付けられている。
【００２４】
ディスプレイ筐体１１の下側にはヒンジ機構２５ａ、２５ｂを嵌め込むように切り欠き部５５ａ、５５ｂが形成されている。デジタイザ・パネル１００をディスプレイ筐体１１の背面に配置すると、マグネット１０３ａ、１０３ｂとマグネット６３ａ、６３ｂが吸引しマグネット１０３ｃ、１０３ｄがヒンジ機構２５ａ、２５ｂを吸引して使用状態では離れないように固定し、使用しないときは若干の力で離脱することができる。ヒンジ機構２５ａ、２５ｂに代えて、ＧＦＲＰ領域５１のマグネット１０３ｃ、１０３ｄと整合する位置に固定用のマグネットを設けるようにしてもよい。デジタイザ・パネル１００は、ディスプレイ筐体１１を閉じた状態でも装着できるため、ノートＰＣ１０と一体にして持ち運ぶことができる。
【００２５】
デジタイザ・パネル１００は、ディスプレイ筐体１１に装着しない状態では、その表面に電子ペン２００を接近または接触させて入力できる。さらにタッチ・スクリーン１５およびディスプレイ筐体１１は電子ペン２００とコイル・アレイ１０１との間で送受信する電磁波を透過するため、ディスプレイ筐体１１に装着した状態では電子ペン２００をタッチ・スクリーン１５の表面に接近または接触させて入力することができる。ディスプレイ筐体１１は、非金属材料を含んで形成された他の材料を利用することもできる。
【００２６】
図４はデジタイザ・パネル１００の構成の一例を説明するための機能ブロック図である。デジタイザ・パネル１００は送信モードと受信モードを備え、電源を必要としないタイプの電子ペン２００との間での電磁波干渉を利用するセンサー・コイル１５１−１〜１５３−ｍが形成されたコイル・アレイ１０１を含んでいる。電子ペン２００は、コイルとコンデンサにより形成されたＬ−Ｃ共振回路を含む。電子ペン２００の操作には、アップ操作、ダウン操作、および筆圧操作がある。
【００２７】
アップ操作は電子ペン２００を電磁波干渉でデジタイザ・パネル１００が入力を検出できない位置に位置付ける操作で、ダウン操作は検出できる位置に位置付ける操作で、筆圧操作は電子ペン２００の先端をタッチ・スクリーン１５またはデジタイザ・パネル１００の表面に押し付ける操作をいう。一例では、ディスプレイ筐体１１およびタッチ・スクリーン１５を挟んでセンサー・コイル１５１−１〜１５３−ｍから１１ミリメートル程度離れた位置でもダウン操作ができる。
【００２８】
電子ペン２００の共振回路は、ペン先がタッチ・スクリーン１５の表面を押下したときの圧力で容量が変化する可変コンデンサを含んでおり、ペンで紙に描くときの筆圧に相当する情報やマウス・クリックの情報を送信モードでの励振電流と受信モードでの誘起電圧の位相差の変化で検出できるようになっている。電子ペン２００はまた、共振回路の共振周波数を変化させてマウス・クリックに相当する信号を入力するサイド・ボタンも備えている。
【００２９】
コイル・アレイ１０１には、Ｘ軸方向に順番に重なるように均等のピッチでｎ個のセンサー・コイル１５１−１〜１５１−ｎが配列され、Ｙ軸方向に順番に重なるように均等のピッチでｍ個のセンサー・コイル１５３−１〜１５３−ｍが配列されている。選択回路１５５は、コントローラ１６５から受け取った選択信号に基づいて、センサー・コイル１５１−１〜１５３−ｍを１個ずつ順番に選択し、切換回路１５９を通じて送信回路１６１または受信回路１６３を経由するループ回路を形成する。
【００３０】
切換回路１５９は、コントローラ１６５から受け取った切換信号により、選択信号により所定のセンサー・コイルが選択されている間に、ループ回路を送信回路１６１と受信回路１６３に対して所定の時間間隔で交互に複数回切り換える。切換信号が送信回路１６１を選択する時間の動作を送信モード（送信期間）といい、受信回路１６３を選択する時間の動作を受信モード（受信期間）という。
【００３１】
コントローラ１６５は、１つのセンサー・コイルを選択する間に、複数の送信期間と受信期間を形成するように切換信号を生成する。選択されたセンサー・コイルに対して送信回路１６１は送信期間の間に高周波の励振電流を供給する。励振電流が流れたセンサー・コイルは電磁波を放射する。ダウン操作、筆圧操作またはサイド・ボタンの押下が行われた電子ペン２００のコイルは、電磁波に共振して共振回路に電流が流れる。
【００３２】
共振回路に流れる電流は、電子ペン２００のコイルから電磁波を放射する。電子ペン２００のコイルが放射する電磁波は、送信期間につづく受信期間の間に同一のセンサー・コイルが受信する。受信回路１６３は受信期間の間に検出したセンサー・コイルの誘起電圧をディジタル・データに変換してコントローラ１６５に送る。誘起電圧は、センサー・コイルと電子ペン２００の距離が近いほど大きくなるため、コントローラ１６５は電子ペン２００がある座標に位置付けられている間に順番に選択した各センサー・コイルの誘起電圧を検出することで、電子ペン２００に対して最も近い位置に存在するセンサー・コイルを特定して座標情報を生成することができる。
【００３３】
コントローラ１６５は、切換信号および選択信号を生成し、かつ、センサー・コイルの誘起電圧から座標情報を生成する。筆圧操作で電子ペン２００がタッチ・スクリーン１５またはデジタイザ・パネル１００の表面に押し付けられたときは、電子ペン２００の可変コンデンサの容量が変化して共振回路に流れる電流の周波数を変化させる。コントローラ１６５は、送信期間に送信した励振電流の周波数と受信期間に検出した誘起電圧の周波数を計算して電子ペン２００の筆圧情報を生成する。
【００３４】
コントローラ１６５はＢｌｕｅｔｏｏｔｈ（登録商標）モジュール（ＢＬＴＨモジュール）１６９を通じて、または、図示しない有線のインターフェースを通じて座標情報および筆圧情報をノートＰＣ１０のＩ／Ｏコントローラに送出する。電池ユニット１６７は、デジタイザ・パネル１００に電力を供給する。フラッシュ・メモリ１７１は、デジタイザ・パネル１００のデバイス情報を記憶する。なお、デジタイザ・パネルは電子ペンが電池と送信コイルを搭載して電磁波を送信するタイプであってもよい。この場合のデジタイザ・パネルは受信回路１６３だけで電子ペンの座標を認識することができる。
【００３５】
図５はノートＰＣ１０の構成の一例を説明するための概略の機能ブロック図である。図５（Ａ）はハードウェア構成を示し、図５（Ｂ）はソフトウェア構成を示している。ノートＰＣ１０は、ＳＯＣ（System on a chip）タイプの組込システム（Embedded System）３００に、システム・メモリ３０１、タッチ・スクリーン１５を構成する液晶ディスプレイ３０３、タッチ・スクリーン１５を構成するタッチ・パネル３０５、タッチ・パッド２３、キーボード１７、Ｂｌｕｅｔｏｏｔｈ（登録商標）モジュール（ＢＬＴＨモジュール）３０７、ＷＬＡＮ（Wireless Local Area Network）モジュール３０９、ＳＳＤ３１１、接近センサ６１およびパワー・マネジメント・ユニット（ＰＭＵ）３１３などが接続されている。
【００３６】
組込システム３００は、ＣＰＵコア、ＧＰＵ、メモリ・コントローラ、Ｉ／Ｏコントローラ、およびファームウェアＲＯＭなどで構成されている。ＳＳＤ３１１は、それぞれのＣＰＵコアが実行するアプリケーション・プログラム３５１、オペレーティング・システム３５３、デジタイザ・パネル１００のデバイス・ドライバであるデジタイザ・ドライバ３５５、ＬＣＤ３０３のデバイス・ドライバであるＬＣＤドライバ３５７および接近センサ６１のデバイス・ドライバであるセンサ・ドライバ３５９などを格納する。接近センサ６１は、デジタイザ・パネル１００がディスプレイ筐体１１の背面に装着されたときにマグネット１０３ｃの磁気を検出して動作する。
【００３７】
図６は、デジタイザ・パネル１００を利用してノートＰＣ１０に入力する方法を説明するためのフローチャートである。ブロック４０１で、ユーザがノートＰＣ１０のＢＬＴＨモジュール３０７を動作させて接続モードにする。ユーザがデジタイザ・パネル１００の電源を投入するとＢＬＴＨモジュール１６９は自動的に接続モードに入る。ノートＰＣ１０のＢＬＴＨモジュール３０７とデジタイザ・パネル１００のＢＬＴＨモジュール１６９は、あらかじめ登録（ペアリング）が完了している。接続モードに入ったＢＬＴＨモジュール３０７は、接続モードに入ったＢＬＴＨモジュール１６９をサーチしてブロック４０３で自動的に接続を確立する。
【００３８】
ブロック４０５で、デジタイザ・パネル１００がディスプレイ筐体１１の背面に取り付けられた場合は接近センサ６１が動作する。センサ・ドライバ３５９から動作イベントを受け取ったデジタイザ・ドライバ３５５は、デジタイザ・パネル１００が背面に装着されたと認識してブロック４０７に移行し、動作イベントを受け取らないときはブロック４１５に移行する。
【００３９】
ブロック４１５では、従来から行われているようにＢｌｕｅｔｏｏｔｈ（登録商標）の通信範囲におかれたデジタイザ・パネル１００を、電子ペン２００で操作することができる。このとき、電子ペン２００をダウン操作しながら移動させてマウス・カーソル２７を移動させ、筆圧操作またはサイド・ボタンの操作で入力することができる。また、所定のアプリケーション・プログラムを実行して電子ペン２００から手書きで文字入力をすることもできる。
【００４０】
ブロック４０７で、デジタイザ・ドライバ３５５は、装着されたＢＬＴＨモジュール１６９を通じてフラッシュ・メモリ１７１に格納されたデジタイザ・パネル１００のデバイス情報からコイル・アレイ１０１のサイズを取得して、ＬＣＤドライバ３５７に通知する。ＬＣＤドライバ３５７は、受け取ったサイズに適合するようにタッチ・スクリーン１５の所定の座標に基準マークを表示して、ユーザに電子ペン２００で基準マークを指示するようにプロンプトを表示する。基準マークは、デジタイザ・パネル１００の有効範囲が確認できるようにタッチ・スクリーン１５の四隅に表示される。
【００４１】
図７は、タッチ・スクリーン１５に基準マークを表示する様子を説明する図である。図７（Ａ）はタッチ・スクリーン１５とコイル・アレイ１０１のサイズがほぼ等しい場合を示し、図７（Ｂ）はコイル・アレイ１０１のサイズが小さい場合を示し、図７（Ｃ）はコイル・アレイ１０１のサイズが大きい場合を示している。コイル・アレイ１０１のサイズが小さい場合は、タッチ・スクリーン１５の一部の領域に対しては電子ペンで入力できない。
【００４２】
このときＬＣＤドライバ３５７またはＯＳ３５３は、コイル・アレイ１０１のサイズに合わせて画面の解像度および表示位置を変更するようにしてもよい。コイル・アレイ１０１のサイズが大きい場合はコイル・アレイ１０１の一部の領域が利用できなくなるが、タッチ・スクリーン１５の表示領域の全体に対して入力することができる。ブロック４１１でユーザが電子ペン２００で基準マーク５０１〜５０７を指示すると、デジタイザ・ドライバ３５５は画面の座標とコイル・アレイ１０１の座標の関係を認識する。
【００４３】
したがって、デジタイザ・ドライバ３５５は、電子ペン２００がタッチ・スクリーン１５を指示したときにデジタイザ・パネル１０１が検出した座標から、指示されたタッチ・スクリーン１５の座標を認識してシステムに送ることができる。ブロック４１３ではユーザが電子ペン２００でタッチ・スクリーン１５のオブジェクトに対して入力する。なお、デジタイザ・パネル１００が背面に装着されたときは、ブロック４１５と同じようにマウス・カーソル２７を通じて入力することもできる。
【００４４】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００４５】
１０  ノートＰＣ
１１  ディスプレイ筐体
１３  システム筐体
１５  タッチ・スクリーン
２５ａ、２５ｂ  ヒンジ機構
６３ａ、６３ｂ  ディスプレイ筐体のマグネット
１００  デジタイザ・パネル
１０１  コイル・アレイ
１０３ａ〜１０３ｄ  デジタイザ・パネルのマグネット
２００  電子ペン
【図１】
0005898154.tif 000002
【図２】
0005898154.tif 000003
【図３】
0005898154.tif 000004
【図４】
0005898154.tif 000005
【図５】
0005898154.tif 000006
【図６】
0005898154.tif 000007
【図７】
0005898154.tif 000008